(57)【要約】【課題】  海苔網全体に殻胞子を均一に付着できると共に、付着した殻胞子を海苔網に短時間で効率良く定着できる海苔網への海苔種付け方法及び海苔網種付装置を提供する。【解決手段】  回転枠１０の直径を大きくして回転枠１０の外周長さを海苔網Ｗの長さより長くし、回転枠１０の外周に所要枚数の海苔網を夫々一重に巻付け、回転枠１０をカキ殻糸状体を入れた水槽２に海苔網Ｗの下部を漬けた状態で所要時間回転させて海苔網に所要個数の殻胞子を付着させ、その後水槽２よりカキ殻糸状体を取出し、その取出状態で再び回転枠１０の海苔網Ｗの外周に所要枚数の海苔網を巻付け、以上の動作を繰返して全体として所定枚数の海苔網Ｗに殻胞子を付着させた後、回転枠１０を水槽２からカキ殻糸状体を取出した状態で所要時間回転させて殻胞子を海苔網Ｗに定着させる。【選択図】  図２
2005046051.tif 000002
【特許請求の範囲】
【請求項１】
カキ殻糸状体を入れた水槽の海水に回転枠に巻付けた海苔網の下部を漬けた状態で回転枠を回転させ、海苔網の繊維表面に殻胞子を種付けするようにした海苔網への海苔種付け方法において、回転枠の直径を大きくして回転枠の外周長さを巻付けるべき海苔網の長さより長くしておき、その回転枠の外周に所要枚数の海苔網を夫々一重に巻付け、その後水槽にカキ殻糸状体を入れた状態で回転枠を所要時間回転させて海苔網に所要個数の殻胞子を付着させ、その後水槽よりカキ殻糸状体を取出し、その取出し状態で再び回転枠の海苔網の外周に所要枚数の海苔網を夫々一重に巻付け、以上の動作を繰返して全体として所定枚数の海苔網に殻胞子を付着させた後、その回転枠を水槽からカキ殻糸状体を取出した状態で所要時間回転させ、海苔網が水面を出入りすることで殻胞子に刺激を与えて殻胞子を海苔網に定着させるようにした海苔網への海苔種付け方法。
【請求項２】
回転枠の外周に約２０〜６０枚の海苔網を夫々一重に巻付け、その後水槽にカキ殻糸状体を入れた状態で回転枠を所要時間回転させて海苔網に所要個数の殻胞子を付着させ、その後再び回転枠の海苔網の外周に初回と同等程度の枚数の海苔網を夫々一重に巻付けて海苔網に殻胞子を付着させることを数回繰返し、全体として約１００〜１５０枚の海苔網に殻胞子を付着させた後、その回転枠を水槽からカキ殻糸状体を取出した状態で約１〜３時間回転させ、海苔網に付着している殻胞子を海苔網に定着させるようにした請求項１記載の海苔網への海苔種付け方法。
【請求項３】
カキ殻糸状体を入れた水槽の海水に回転枠に巻付けた海苔網の下部を漬けた状態で回転枠を回転させ、海苔網の繊維表面に殻胞子を付着させるようにした海苔網への海苔種付け方法に用いる海苔網種付装置において、カキ殻糸状体を入れる為の水槽の上方に回転枠をその下部が水槽内に臨むように回転可能に配設し、その回転枠の直径を回転枠の外周長さが巻付けるべき海苔網の長さより大きくなるように設定し、回転枠の外周に各海苔網を夫々一重に巻付け可能にした海苔網種付装置。
【請求項４】
水槽を複数並設し、それらの水槽の上方に横たわる1つの回転基枠を回転可能に設け、その回転基枠の外周に各水槽に対応する複数の回転枠をその下部が水槽内に臨むように設け、複数の回転枠が回転基枠によって安定して回転するようにした請求項３記載の海苔網種付装置。
【請求項５】
回転枠の直径の大きさを約６〜８ｍにした請求項３又は４記載の海苔網種付装置。
【発明の詳細な説明】
【技術分野】
【０００１】
本発明は、陸上において海苔網に海苔種を種付け（陸上採苗）する海苔網への海苔種付け方法及びその方法に用いる海苔網種付装置に関するものである。
【背景技術】
【０００２】
従来の陸上における海苔網への海苔種付け（陸上採苗）方法としては、非特許文献１や非特許文献２に記載の水車状の回転枠（通称「水車」と言っている）を用いるものが知られている。この従来の海苔網への種付け方法は、陸上に種付用の種付水槽（以下水槽とも記す）と養生用の大きな養生水槽を準備すると共に、その水槽の上に直径約１．６〜３ｍの水車状の回転枠（通称「水車」と言っている）を回転可能に設けておき、水温が下がる９月〜１０月ころに、回転枠の外周に一般に約１８ｍ（１０間海苔網と呼ばれている）の長さがある長い海苔網を一端部から最後まで約２〜４回転させて巻付ける作業を繰返しながら回転枠の外周に所要枚数例えば約１５０枚を重ねて巻付けて種付けの準備をする。
【０００３】
次に、水槽にカキ殻糸状体を入れ、カキ殻糸状体から殻胞子が出てくる時間帯（朝方）に、回転枠をその下部の海苔網を水槽内の海水に漬けた状態で駆動モータによって繰返し回転させて海苔網の繊維表面に海水表面に浮遊している殻胞子（海苔種）を付着させる。この回転枠の回転を所要時間例えば１０分程度行い、海苔網に付着した殻胞子の数を顕微鏡で観察してその数が１００倍視野の顕微鏡下で所望個数例えば５０個程度になると、回転枠の回転を停止し、殻胞子が付着した外側の所要枚数例えば１０〜１２枚程度の海苔網を巻き戻して取外し、その取外した海苔網を別途設置してある大きな養生水槽に運び、その養生水槽の海水中に数時間例えば５時間程度入れ、海苔網に付着した殻胞子を養生させて海苔網に定着させる。また、海苔網を取外した後の回転枠を再び回転させて次の回転枠外周の海苔網に殻胞子を付着させ、以後、同様の作業を繰返し、回転枠に巻き付けた総ての海苔網に殻胞子を付着させた後、養生水槽において海苔網に殻胞子を定着させている。
【０００４】
【非特許文献１】“陸上採苗〜２００１年”、［online］、「第二きんのり丸」のホームページ        の「海苔養殖とあさり漁」の「海苔の採苗から育苗」の頁、［平成１５年７月８        日検索］、インターネット＜URL：http://www.kinnori.net/2001/001.html＞
【非特許文献２】“海苔の一生”、［online］、「磯駒海苔」のホームページの「海苔の一生」        の頁、［平成１５年７月８日検索］、        インターネット＜URL：http://www.isokoma.co.jp/tsuhan/nori_life.html＞
【発明の開示】
【発明が解決しようとする課題】
【０００５】
従来の陸上採苗における海苔網への海苔種付け方法においては、約１８ｍの長さの長い海苔網を直径約１．６〜３ｍの回転枠の外周に約２〜４回巻付けながら例えば約３０〜１００枚の海苔網を回転枠に巻付け、その回転枠を回転させることで海苔網の繊維表面に殻胞子（海苔種）を付着させるようにしているので、回転枠に巻付けた１枚の海苔網において殻胞子（海苔種）の比較的付着し易い外周側の層と比較的付着しにくい内周側の層とが発生し、１枚の海苔網において殻胞子（海苔種）の付着度合に斑を生じ、後工程での海苔の育苗や摘採の作業性を悪くする問題がある。また、回転枠を回転させて海苔網の繊維表面に所望個数の殻胞子が付着すると、殻胞子が付着した外側の所要枚数の海苔網を巻き戻して取外し、その取外した海苔網を別途設置してある大きな養生水槽の海水中に長時間（一般に５時間程度）入れて殻胞子を定着させるようにしているので、殻胞子が付着した海苔網を回転枠から取外すときや殻胞子が付着した海苔網を養生水槽へ運ぶときに、海苔網に付着した殻胞子が海苔網が擦れることで落下し、海苔網への殻胞子の定着個数が低下して海苔の生産性が悪くなったり、海苔網への殻胞子の定着状態に斑を生じる問題がある。また、回転枠から取外した海苔網を大きな養生水槽の海水中に数時間入れて殻胞子を海苔網に定着させているので、養生水槽での養生中の海苔網に太陽光が上側からしか当たらず、養生に斑が発生するので、海苔網を上下ひっくり返すなどの作業が必要となり、海苔の養生に多くの人手と時間を要して作業時間が長くなる上に、大型の養生水槽を設備する必要があり、広い場所と多くの費用を要する問題がある。
【０００６】
そこで、本発明の課題は、各海苔網の全体に均一に殻胞子（海苔種）を付着させることができると共に、海苔網に付着した殻胞子の落下を防止して殻胞子の定着効率を良くでき、しかも、海苔網に付着した殻胞子の養生効率を良くして短時間で殻胞子を海苔網に定着できるようにした海苔網への海苔種付け方法及びその方法に用いる海苔網種付装置を提供することにある。
【課題を解決するための手段】
【０００７】
本願の請求項１の発明は、上記課題を解決するために、カキ殻糸状体を入れた水槽の海水に回転枠に巻付けた海苔網の下部を漬けた状態で回転枠を回転させ、海苔網の繊維表面に殻胞子を種付けするようにした海苔網への海苔種付け方法において、回転枠の直径を大きくして回転枠の外周長さを巻付けるべき海苔網の長さより長くしておき、その回転枠の外周に所要枚数の海苔網を夫々一重に巻付け、その後水槽にカキ殻糸状体を入れた状態で回転枠を所要時間回転させて海苔網に所要個数の殻胞子を付着させ、その後水槽よりカキ殻糸状体を取出し、その取出し状態で再び回転枠の海苔網の外周に所要枚数の海苔網を夫々一重に巻付け、以上の動作を繰返して全体として所定枚数の海苔網に殻胞子を付着させた後、その回転枠を水槽からカキ殻糸状体を取出した状態で所要時間回転させ、海苔網が水面を出入りすることで殻胞子に刺激を与えて健全な殻胞子を養生させて海苔網に定着させるようにした海苔網への海苔種付け方法である。
【０００８】
請求項２の発明は、請求項１において、回転枠の外周に約２０〜６０枚の海苔網を夫々一重に巻付け、その後水槽にカキ殻糸状体を入れた状態で回転枠を所要時間回転させて海苔網に所要個数の殻胞子を付着させ、その後再び回転枠の海苔網の外周に初回と同等程度の枚数の海苔網を夫々一重に巻付けて海苔網に殻胞子を付着させることを数回繰返し、全体として約１００〜１５０枚の海苔網に殻胞子を付着させた後、その回転枠を水槽からカキ殻糸状体を取出した状態で約１〜３時間回転させ、海苔網に付着している殻胞子を海苔網に定着させるようにした海苔網への海苔種付け方法である。
請求項３の発明は、カキ殻糸状体を入れた水槽の海水に回転枠に巻付けた海苔網の下部を漬けた状態で回転枠を回転させ、海苔網の繊維表面に殻胞子を付着させるようにした海苔網への海苔種付け方法に用いる海苔網種付装置において、カキ殻糸状体を入れる為の水槽の上方に回転枠をその下部が水槽内に臨むように回転可能に配設し、その回転枠の直径を回転枠の外周長さが巻付けるべき海苔網の長さより大きくなるように設定し、回転枠の外周に各海苔網を夫々一重に巻付け可能にしたものである。
請求項４の発明は、請求項３において、水槽を複数並設し、それらの水槽の上方に横たわる1つの回転基枠を回転可能に設け、その回転基枠の外周に各水槽に対応する複数の回転枠をその下部が水槽内に臨むように設け、複数の回転枠が回転基枠によって安定して回転するようにしたものである。
請求項５の発明は、請求項３又は４において、回転枠の直径の大きさを約６〜８ｍの大きさにしたものである。
【発明の効果】
【０００９】
請求項１の発明は、回転枠の直径を大きくして回転枠の外周長さを巻付けるべき海苔網の長さより長くしておき、その回転枠の外周に所要枚数の海苔網を夫々一重に巻付け、その後水槽にカキ殻糸状体を入れた状態で回転枠を所要時間回転させて海苔網に所要個数の殻胞子を付着させるようにしたので、回転枠に巻付けた各海苔網の全面に斑なく均一に殻胞子（海苔種）を付着させることができ、後工程の海苔の育苗や摘採の作業性を良くできる。
また、回転枠に巻付けた海苔網に殻胞子を付着させた後、水槽よりカキ殻糸状体を取出し、その取出し状態で再び回転枠の海苔網の外周に所要枚数の海苔網を夫々一重に巻付け、以上の動作を繰返して全体として所定枚数の海苔網に殻胞子を付着させた後、その回転枠を水槽からカキ殻糸状体を取出した状態で所要時間回転させ、海苔網が水面を出入りすることで殻胞子に刺激を与えて健全な殻胞子を養生させて海苔網に定着させるようにしたので、海苔網に付着した殻胞子がその後に海苔網から落下するのを防止して殻胞子の定着効率を良くでき、海苔の生産性を高くできると共に、海苔網への殻胞子の定着度合を均一にでき、海苔の育苗や摘採の作業を容易にできる。
また、所定枚数の海苔網に殻胞子を付着させた後、その回転枠を水槽からカキ殻糸状体を取出した状態で所要時間回転させ、海苔網に付着している殻胞子を養生させて海苔網に定着させるようにしたので、養生中の海苔網の上下両側に太陽光が当たり、短時間で海苔を養生させて海苔網に定着させることができ、海苔養生作業時間を短くできる。しかも、大きな養生水槽の設置を省くこともでき、海苔採苗の為の場所の縮小や設備費用の低減を図ることができる。
【００１０】
請求項２の発明は、回転枠の外周に約２０〜６０枚の海苔網を夫々一重に巻付け、この状態で回転枠を所要時間回転させて海苔網に所要個数の殻胞子を付着させ、その後再び回転枠の海苔網の外周に初回と同等程度の枚数の海苔網を夫々一重に巻付けて海苔網に殻胞子を付着させることを数回繰返し、全体として約１００〜１５０枚の海苔網に殻胞子を付着させた後、その回転枠を水槽からカキ殻糸状体を取出した状態で約１〜３時間回転させ、海苔網に付着している殻胞子を海苔網に定着させるようにしたので、多数の海苔網への種付けを均一に効率良く行うことができ、種付け作業時間を短縮することができる。
【００１１】
請求項３の発明は、海苔網への海苔種付け方法に用いる海苔網種付装置において、カキ殻糸状体を入れる為の水槽の上方に回転枠をその下部が水槽内に臨むように回転可能に配設し、その回転枠の直径を回転枠の外周長さが巻付けるべき海苔網の長さより大きくなるように設定し、回転枠の外周に各海苔網を夫々一重に巻付け可能にしたので、回転枠の外周に所要枚数の海苔網を夫々一重に巻付けた状態で、回転枠を回転させて各海苔網の全面に殻胞子を均一に付着させることができ、後工程の海苔の育苗や摘採の作業性を良くできる。また、回転枠の外周に各海苔網を夫々一重に巻付けることができるので、回転枠に約１００〜１５０枚の海苔網を巻付けた状態でも、各海苔網に内外両側から光を充分に当てることができ、海苔網を巻付けた状態の回転枠を回転させて海苔網に付着した殻胞子を短時間で海苔網に定着させることができる。
請求項４の発明は、水槽を複数並設し、それらの水槽の上方に横たわる1つの回転基枠を回転可能に設け、その回転基枠の外周に各水槽に対応する複数の回転枠をその下部が水槽内に臨むように設け、複数の回転枠が回転基枠によって安定して回転するようにしたので、直径の大きな複数の回転枠を安価に提供できると共に回転枠の強度を大きくでき、装置の寿命を長くできる。
請求項５の発明は、回転枠の直径の大きさを約６〜８ｍにしたので、海苔業界で使用されている約１８ｍの一般的な海苔網の全てに対応でき、汎用性の高い装置を安価に提供できる。
【発明を実施するための最良の形態】
【００１２】
本発明の海苔網への海苔種付け方法は、カキ殻糸状体を入れた水槽の海水に回転枠に巻付けた海苔網の下部を漬けた状態で回転枠を回転させ、海苔網の繊維表面に殻胞子を種付けする陸上採苗の方法で、海苔網への種付けに先立ち、カキ殻糸状体を入れる為の水槽の上方に回転枠をその下部が水槽内に臨むように回転可能に配設し、その回転枠の直径を回転枠の外周長さが巻付けるべき海苔網の長さより大きくなるように設定し、回転枠の外周に各海苔網を夫々一重に巻付け可能にした海苔網種付装置を準備する。
本発明の海苔網への海苔種付けは、予め、回転枠の直径を大きくして回転枠の外周長さを巻付けるべき海苔網の長さより長くしておき、その回転枠の外周に所要枚数の海苔網を夫々一重に巻付け、その後水槽にカキ殻糸状体を入れた状態で回転枠を所要時間回転させて海苔網に所要個数の殻胞子を付着させ、その後水槽よりカキ殻糸状体を一時的に取出し、再び回転枠の海苔網の外周に所要枚数の海苔網を夫々一重に巻付け、以上の動作を繰返して全体として所定枚数の海苔網に殻胞子を付着させた後、その回転枠を水槽からカキ殻糸状体を取出した状態で所要時間回転させ、海苔網が水面を出入りすることで殻胞子に刺激を与えて健全な殻胞子を養生させて海苔網に定着させる。その場合、回転枠の外周に約２０〜６０枚の海苔網を夫々一重に巻付け、この状態で回転枠を所要時間回転させて海苔網に所要個数の殻胞子を付着させ、その後再び回転枠の海苔網の外周に初回と同等程度の枚数の海苔網を夫々一重に巻付けて海苔網に殻胞子を付着させることを数回繰返し、全体として約１００〜１５０枚の海苔網に殻胞子を付着させた後、その回転枠を水槽からカキ殻糸状体を取出した状態で約１〜３時間回転させ、海苔網に付着している殻胞子を海苔網に定着させるようにすると効率的である。
【００１３】
また、本発明の海苔種付け方法に用いる海苔網種付装置としては、水槽を複数並設し、それらの水槽の上方に横たわる1つの回転基枠を回転可能に設け、その回転基枠の外周に各水槽に対応する複数の回転枠をその下部が水槽内に臨むように設け、複数の回転枠が回転基枠によって安定して回転するようにすると実用的である。例えば、水槽を左右に３個ずつ合計６個並設し、左右３個ずつの水槽群の上方に横たわる回転基枠を夫々回転可能に設け、それらの回転基枠の外周に各水槽に対応する３個ずつの回転枠をその下部が対応する水槽内に臨むように設けると良い。また、海苔養殖業界で使用されている海苔網の長さは一般に約１８〜１９ｍ（１０間と言われている）であるので、回転枠の直径の大きさを約６〜８ｍにすることで一般の海苔網に充分に対応することができる。
【実施例】
【００１４】
図１〜図４は、陸上採苗の海苔網への種付け方法の実施に用いる海苔網種付装置１を示している。海苔網種付装置１は、海水とカキ殻糸状体を入れる為の矩形の水槽２を備えている。この水槽２は、中央部に設置空間３を開けて左右に３個ずつ互いに区切られてコンクリート等によって固定的に設置されている。なお、水槽２は、金属板等の箱体によって構成しても構わない。水槽２の一端側には水槽２の上端よりも高い網着脱作業台（作業床）４を設けてある。各水槽２には、図示を省略した冷水供給装置と冷温水供給装置と槽温度指示調節計と排水装置が設置され、各水槽２内の海水温度を自動的に検出し、冷水や温水の供給や海水の排出を制御することで各水槽２内の海水温度を機械的に自動管理できるようになっている。左右に３個ずつ設けた水槽２の水槽群２Ａ間の設置空間３に支持台７が設置され、その支持台７に軸受枠８が固着されている。また、２つの水槽群２Ａの左右側方位置に軸受枠９が夫々立設されている。
【００１５】
各水槽２の上方には、海苔網を巻付ける為の回転枠１０がその下端部が水槽２内に臨むようにして夫々回転可能に配設されている。左側の３個の水槽２と右側の３個の水槽２に対応する３個ずつの回転枠３は、夫々１本の回転軸１２に固着されている回転基枠１３の外周に設けられ、支持台７に設置されている後述の変速モータ４０によって一体的に正逆回転されるようになっている。
左右一対の回転基枠１３は、回転軸１２に嵌着された太径（例えば約２７０ｍｍ）の回転筒１４に固着された左右一対の正方形のボス部材１５と、両ボス部材１５の各辺部分の端部に元部が固着されて先端部が三角形を形成するように併合されている各４組の一対のリム部材１６と、回転軸１２が中心となるように各リム部材１６の先端部に固着されている左右一対の環状基枠１７と、環状基枠１７の周囲を多数（図では１６）に等分する位置で左右一対の環状基枠１７に橋渡し状に固着されている連結枠１８と、環状基枠１７の周囲を複数（図では４）に等分する位置と回転筒１４の長さの中間部に固着された取付板１９との間に連結されて環状基枠１７を左右移動しないように支持している複数本のターンバックル部材２０とで構成されている。ボス部材１５はステンレス製の平板にて構成され、リム部材１６と環状基枠１７と連結枠１８はステンレス製の比較的太径（例えば直径６０ｍｍ）のパイプ部材で強固に構成されている。なお、各ボス部材１５やリム部材１６や環状基枠１７は必要に応じて回転筒１４の中間部に設けて連結枠１８の中間部を補強すると良い。
【００１６】
各回転枠１０は、環状基枠１７の各連結枠１８に固着されている多数のコ字状支持枠２１と、これらのコ字状支持枠２１の両角部内側に夫々固着されて環状基枠１７の外周側に支持されている左右一対の環状枠２３と、環状枠２３の周囲を多数（図では３２）に等分する位置で左右一対の環状枠２３間に橋渡し状に設けられている海苔網巻付け用の連結杆２５と、各連結杆２５の両端部に固着されて外周側へ突出している網位置規制用の多数の位置決め部材２６とで構成されている。前記連結杆２５は、コ字状支持枠２１の連結部２１ａと各連結部２１ａ間において左右一対の環状枠２３に橋渡し状に固着されている連結材２５ａによって構成されている。回転枠１０のコ字状支持枠２１と環状枠２３と連結杆２５と位置決め部材２６は、ステンレス製の比較的細径（例えば直径１６ｍｍ）の丸棒で構成され、回転枠１０に巻付ける海苔網Ｗに対して太陽光をできるだけ遮断しないようになっている。回転枠１０の外周長さ即ち環状枠２３の外周長さを決定する回転枠１０の環状枠２３の直径は、環状枠２３の外周長さが巻付けるべき海苔網Ｗの長さより大きくなるように従来装置よりきわめて大きく設定されている。一般に、海苔養殖業界で使用されている海苔網Ｗの長さは約１８〜１９ｍ（１０間と言われている）であるので、回転枠１０の環状枠２３の直径は約６ｍ以上の大きさに設定されている。例えば、海苔養殖に用いる海苔網Ｗの長さが約１９ｍのときは、回転枠３の環状枠４の直径の大きさが約６ｍに設定される。環状枠２３の直径の上限は、限定されるものではないが、実用上は、約８ｍであれば海苔網Ｗの長さが約２５ｍのものに対応でき、充分である。
回転軸１２は、軸受枠８、９に夫々取着されている一対の軸受３０，３１によって回転自在に支承されている。回転軸１２には、チェーンホイール３３が楔着され、このチェーンホイール３３が支持台７に設置された正逆転可能な変速モータ４０によって駆動ホイール３４やチェーン３５を介して回転されるようになっている。
【００１７】
次に、上記海苔網種付装置１を用いて海苔網Ｗの繊維表面に殻胞子を種付けする海苔網Ｗへの種付け方法について説明する。
海苔網Ｗへの種付け（採苗）は、一般に海水温度が下がる９月〜１０月ころに行う。また、カキ殻糸状体から殻胞子が放出されるのは、太陽光が当たり始める朝方の２時間程度であるので、種付け条件の良い朝方に集中的に行う。従って、種付け日の朝迄に、カキ殻糸状体が殻胞子を放出し易いように管理しておき、各水槽２に種付けに適した条件（例えば温度１８度Ｃ〜２３度Ｃ、比重１８以上、ＰＨ７．５〜８．３）の海水を入れてその状態を維持するように管理し、その水槽２の海水内にカキ殻糸状体を入れておく。また、種付け日の前日に各回転枠１０の外周である各連結杆２５列の外周に所要枚数例えば約５０枚の海苔網Ｗを巻付けておく。この海苔網Ｗの巻付けは、回転枠１０の外周の長さが海苔網Ｗの長さの約１８ｍより長くなるように回転枠１０の環状枠２３の直径が約６ｍに設定されているので、回転枠の外周に海苔網Ｗを二重に重なることなく一重に巻付け、回転枠１０の外周に約５０枚の海苔網Ｗを順次その空き隙間（海苔網Ｗを巻付けない部分）を外周方向へずらしながら一重に巻付ける。回転枠１０の下端部は水槽２内に臨んでいるので、回転枠１０の外周に巻付けられた海苔網Ｗの下部は水槽２内の海水に漬かった状態になる。
【００１８】
太陽光が当たり始めてカキ殻糸状体から殻胞子が出始めたことを確認した後、又はその前に、回転軸１２を変速モータ４０によって一方向（海苔網巻付け方向）へ回転させ、左右３個の回転枠１０を同時に回転させる。回転枠１０の回転により回転枠１０に巻付けられている海苔網Ｗは、下部が水槽２に漬かった状態で回転され、その結果、水槽２の海水に浮かんでいる殻胞子が海苔網Ｗの表面に次々付着される。この場合、各海苔網Ｗが回転枠１０の外周に一重に巻付けられているので、各海苔網Ｗには全長に亘って同じ条件で殻胞子が均一に付着され、海苔網Ｗの全長に亘って殻胞子の付着斑を無くすことができる。また、各回転枠１０は、強固な回転基枠１３の外周に設けてあるので、直径の大きな各回転枠１０を安定して回転させることができる。
【００１９】
この回転枠１０の回転を例えば１５分程度行った時点で、回転枠１０の外周に巻付けられた海苔網Ｗの外周面に付着した殻胞子の数を顕微鏡で観察し、その数が１００倍視野の顕微鏡下で所望個数例えば５０個程度になったとき、変速モータ４０による回転枠１０の回転を停止し、また、水槽２よりカキ殻糸状体を取出す。このカキ殻糸状体を取出した状態で再び回転枠１０外周の前記海苔網Ｗの上に次に種付けすべき所望枚数例えば約５０枚の新たな海苔網Ｗを前記と同様に各海苔網Ｗが一重になるように巻付ける。その後、水槽２内に前記カキ殻糸状体或は新たなカキ殻糸状体を入れた状態で再び回転枠１０を同様に回転させて回転枠１０の外周に巻付けられた新たな海苔網Ｗの外周面に殻胞子を付着させ、回転枠１０を例えば１０分程度回転させた時点で海苔網Ｗの外周面に付着した殻胞子の数を顕微鏡で観察し、その数が前記と同様に５０個程度になったとき回転枠１０の回転を再び停止すると共に水槽２よりカキ殻糸状体を取出し、殻胞子が付着した海苔網Ｗの上に次に種付けすべき所望枚数例えば約５０枚の新たな海苔網Ｗを前記と同様に各海苔網Ｗが一重になるように巻付ける。その後、水槽２内に前記カキ殻糸状体或は新たなカキ殻糸状体を入れた状態で再び回転枠１０を同様に回転させて回転枠１０の外周に巻付けられた新たな海苔網Ｗの外周面に殻胞子を付着させ、回転枠１０を例えば１０分程度回転させた時点で海苔網Ｗの外周面に付着した殻胞子の数を顕微鏡で観察し、その数が前記と同様に５０個程度になったとき回転枠１０の回転を停止する。その結果、回転枠１０の外周に巻付けられた約１５０枚程度の海苔網Ｗの繊維表面に所要個数の殻胞子が均一に付着されたことになる。
【００２０】
その後、水槽２の海水内に漬けたカキ殻糸状体を水槽２内から取出す。この水槽２内からカキ殻糸状体を取出した状態で、海苔網Ｗを巻付けてある回転枠を所要時間例えば約２時間回転させる。その結果、海苔網Ｗに付着された殻胞子は太陽光と海水を交互に受けることで刺激を与えられて健全な殻胞子に養生され、海苔網Ｗに定着される。この場合、回転枠１０に巻付けられている各海苔網Ｗは、比較的細い棒状材で形成された中空環状枠の回転枠１０の外周に一重に巻付けられているので、太陽光が海苔網Ｗの内外側及び側方から両面に充分に当たり、殻胞子の養生が効率良く行われ、殻胞子が短時間で海苔網に定着される。殻胞子が海苔網Ｗに定着された後は、回転枠１０を逆方向へ回転させて海苔網Ｗを回転枠１０から取外して水を切り、冷蔵庫へ入れて漁場に張出して育苗するときまで冷凍で保存する。
図示の海苔網種付装置１は、回転枠１０を左右に３個ずつ合計６個備えているので、１日に合計約１０００枚の海苔網Ｗに種付けすることが可能である。
なお、回転枠１０に一度に巻付ける海苔網Ｗの枚数は約５０枚に限定されるものではなく、必要に応じて任意に変更しても良い。また、回転枠１０に所望枚数の海苔網Ｗを巻付けて殻胞子を付着させる回数も３回に限定されるものではなく、任意の回数に変更しても良く、その場合、各回数の海苔網Ｗの巻付け枚数を互いに異ならせても良い。また、海苔網種付装置は、複数の回転枠を１つの回転軸で回転するようにした連結型の装置に特定されるものではなく、１つの回転枠を１つの回転軸で回転するようにした単体型の装置で構成しても良いことは言うまでもない。
【図面の簡単な説明】
【００２１】
【図１】海苔網への海苔種付け方法に用いる海苔網種付装置の正面図である。
【図２】図１の一部を断面にして示す側面図である。
【図３】図１の平面図である。
【図４】図１のＩＶ−ＩＶ線断面図である。
【符号の説明】
【００２２】
１    海苔網種付装置
２    水槽
１０  回転枠
１２  回転軸
１３  回転基枠
４０  変速モータ
Ｗ    海苔網
【図１】
2005046051.tif 000003
【図２】
2005046051.tif 000004
【図３】
2005046051.tif 000005
【図４】
2005046051.tif 000006